(57)【要約】【課題】  ケーブルなどの長尺物が張力によって固く巻き取られた場合であっても、容易に巻取装置から取り外すことができるようにした長尺物の巻取装置を提供する。【解決手段】  電線や光ファイバーなどのケーブルや、ホース、紐などの長尺物を巻き取るための巻取装置であって、軸周りに回動自在に設けられた第１の回転部材と、同じく軸周りに回動自在に設けられて前記第１の回動部材と対向配置された第２の回動部材とを備え、前記第１の回転部材と第２の回転部材のそれぞれには、両回転部材の対向方向に延出する巻取アームが複数設けられており、前記第１の回転部材から延出する第１の巻取アームと、前記第２の回転部材から延出する第２の巻取アームとは相互に交差する向きに延出しており、前記第１の回転部材及び第２の回動部材の少なくとも何れかは、着脱自在に設けられている、長尺物の巻取装置とする。【選択図】図１
2020075817.tif 000002
【特許請求の範囲】
【請求項１】
電線や光ファイバーなどのケーブルや、ホース、紐などの長尺物を巻き取るための巻取装置であって、
軸周りに回動自在に設けられた第１の回転部材と、同じく軸周りに回動自在に設けられて前記第１の回動部材と対向配置された第２の回動部材とを備え、
前記第１の回転部材と第２の回転部材のそれぞれには、両回転部材の対向方向に延出する巻取アームが複数設けられており、
前記第１の回転部材から延出する第１の巻取アームと、前記第２の回転部材から延出する第２の巻取アームとは相互に交差する向きに延出しており、
前記第１の回転部材及び第２の回動部材の少なくとも何れかは、着脱自在に設けられている、長尺物の巻取装置。
【請求項２】
前記第１の巻取アームと第２の巻取アームとは、その交角が３０°以上、１７０°以下の角度となるように各回転部材から延出されている、請求項１に記載の長尺物の巻取装置。
【請求項３】
設置面に載置可能な脚部と、当該脚部で支持される軸受部と、当該軸受部に取り付けられた回転軸とを備え、
前記第１の回転部材は前記回転軸に固定されると共に、前記第２の回転部材は、当該回転軸に対して着脱自在に固定されており、
前記回転軸は、その回転方向が一方向に規制されている、請求項１又は２に記載の長尺物の巻取装置。
【発明の詳細な説明】
【技術分野】
【０００１】
本発明は、電線や光ファイバーなどのケーブルや、ホース、紐などの長尺物を巻き取るための巻取装置に関し、特に巻き取った長尺物を取り外しやすくした長尺物の巻取装置に関する。
【背景技術】
【０００２】
従来から、ケーブルや、ホース、紐などの長尺物は、数メートルから数百メートルの長さに引き伸ばした状態で使用されており、使用後には円柱形状やボビン形状のドラムや巻取装置に巻き取って、コンパクトな状態で保存することが行われている。しかしながら、一般に普及しているドラムや巻取装置は、巻き取ったケーブルや、ホース、紐などとともに保管されることから、巻き取る長尺物の数だけ、当該ドラムや巻取装置が必要であった。
【０００３】
そこで従前においては、巻き取ったケーブルを取り外すことができるようにしたケーブル巻取装置も提案されている。例えば特許文献１（特開２０１４−１９５５４号公報）では、巻き取ったケーブルの取り外しが容易であり、比較的剛性の大きいケーブルであっても緊密に巻回することができるケーブル巻取り装置として、台座と、該台座に対して回転自在に設けられ、回転させながらケーブルを巻き取る巻取り本体と、該巻取り本体を回転操作する操作ハンドルとを備えるケーブル巻取り装置であって、前記巻取り本体は、長手方向中央部において回転自在に軸支された回転バーと、該回転バーの長手方向両端部側面から該回転バーの長手方向と直交する方向へそれぞれ延在する巻取りバーとを有し、前記回転バーは、前記巻取りバーも含む長手方向一端部が、前記巻取りバーの延在方向へ折り曲げ可能となっているケーブル巻取り装置を提案している。
【０００４】
また、特許文献２（特開２００５−２３９３４８号公報）には、結束ケ−ブルの内径に応じて結束ケ−ブルを容易かつ正確に支持できるケーブルリールとして、基枠または不動部材に設けたリ−ル軸にリ−ルを回転自在に支持し、前記リ−ルに結束ケ−ブルを支持可能なリンクガイドを設けたケーブルリールにおいて、前記リンクガイドに一対のスライダを摺動可能に装着し、該スライダに結束ケ−ブルの捲回内径面に係合可能なケ−ブル保持杆を突設し、該ケ−ブル保持杆を互いに近接離反動可能に連係したセンタリング機構を設けたことケーブルリールが提案されている。そしてこの文献には、「ケ−ブル保持杆２６をセンタリングシャフト１８側へ若干移動させ、その内接円直径を縮小する。このようにすると、ケ−ブル保持杆２６と結束ケ−ブル２８の内径壁面との係合が解除され、結束ケ−ブル２８をケ−ブル保持杆２６に沿って容易に引き出せる」ことが開示されている。
【先行技術文献】
【特許文献】
【０００５】
【特許文献１】特開２０１４−１９５５４号公報
【特許文献２】特開２００５−２３９３４８号公報
【発明の概要】
【発明が解決しようとする課題】
【０００６】
上述のとおり、従前においても、リールなどに巻き取ったケーブルを、巻き取った状態で取り外すことのできるケーブル巻取り装置などは提案されていた。
【０００７】
しかしながら、ケーブルを巻取装置などで巻き取る際には、巻き取るケーブルに一定の張力が加わることから、ケーブルは巻取装置のドラムなどに固く巻き付いてしまい、ドラムなどからの取り外しが困難になっていた。
【０００８】
そこで本発明では、ケーブルなどの長尺物が張力によって固く巻き取られた場合であっても、容易に巻取装置から取り外すことができるようにした長尺物の巻取装置を提供することを課題とする。
【課題を解決するための手段】
【０００９】
上記課題を解決するために、巻き取ったケーブルなどの長尺物を簡易に取り外すことのできるように構成した長尺物の巻取装置を提供する。
【００１０】
即ち本発明では、電線や光ファイバーなどのケーブルや、ホース、紐などの長尺物を巻き取るための巻取装置であって、軸周りに回動自在に設けられた第１の回転部材と、同じく軸周りに回動自在に設けられて前記第１の回動部材と対向配置された第２の回動部材とを備え、前記第１の回転部材と第２の回転部材のそれぞれには、両回転部材の対向方向に延出する巻取アームが複数設けられており、前記第１の回転部材から延出する第１の巻取アームと、前記第２の回転部材から延出する第２の巻取アームとは相互に交差する向きに延出しており、前記第１の回転部材及び第２の回動部材の少なくとも何れかは、着脱自在に設けられている長尺物の巻取装置を提供する。
【００１１】
上記長尺物の巻取装置によれば、相互に交差する巻取アームにケーブルなどの長尺物を巻き取ることができる。そして当該巻取アームが設けられている少なくとも何れかの回転部材は、当該長尺物の巻取装置に対して着脱自在に設けている。このため、巻取アームに長尺物を巻き取った後に、少なくとも何れかの巻取部材を取り外すことにより、何れかの一方に残った巻き取られた長尺物は、容易に取り外すことができる。このため、着脱自在に設けられる回転部材は、回転軸の延伸方向に引き抜いて取り外すことができるように設けられるのが望ましい。
【００１２】
また前記回転部材は、巻取アームに巻き取った長尺物の側面を支持する機能を備えることができる。このため、当該回転部材は円盤形状などの板状に形成する他、径方向に延伸する支持部材を設けたリング状に形成することができる。
【００１３】
また、前記巻取アームは、直線状に延出する棒部材を用いて形成する他、内向きに湾曲する棒部材、或いは外向きに湾曲する棒部材を用いて形成することができる。ただし、当該巻取アームは、長尺物を巻き取る際の張力に基づいた締め付け力に抗することができる強度で形成することが望ましく、必要に応じて、当該巻取アームを支持して変形を阻止する補強部材を設けることもできる。
【００１４】
そして上記本発明にかかる長尺物の巻取装置では、前記第１の巻取アームと第２の巻取アームとは、両回転部材同士が対向する側の回転中心方向に向かって延出することが望ましく、更に両アームの交角が３０°以上、１７０°以下の角度となるように各回転部材から延出することが望ましい。その際、前記第１の回転部材から延出する第１の巻取アームと、前記第２の回転部材から延出する第２の巻取アームとは、回転面からそれぞれ異なる角度で延出するように形成する他、両巻取アームが、それぞれの回転面から同じ角度で延出するように構成することができる。
【００１５】
また上記本発明にかかる長尺物の巻取装置は、設置面に載置可能な脚部と、当該脚部で支持される軸受部と、当該軸受部に取り付けられた回転軸とを備えることができる。かかる脚部を備えることにより、適宜作業面に設置した状態で長尺物を巻き取ることができる。そして前記第１の回転部材は、前記回転軸に固定されると共に、前記第２の回転部材は、当該回転軸に対して着脱自在に固定することができる。第２の回転部材を回転軸に対して着脱自在に設ける事により、長尺物を巻き取った後は、当該第２の回転部材を取り外して、巻き取った長尺物を当該長尺物の巻取装置から取り外すことができる。
【００１６】
そして、前記回転部材は、その回転方向を一方向に規制できるように形成するのが望ましい。長尺物の巻取作業に際して、巻き取った長尺物の引き出し方向への回転を阻止することで、巻き取った長尺物の緩みを阻止することができる。かかる巻取方向の規制はラチェットやワンウェイクラッチなどの回転方向規制部材を使用することができる。また当該回転方向規制部材は、長尺部材の巻取時と引き出し時において、それぞれ異なる向きに回転方向を規制するように形成しても良い。即ち、長尺部材の巻取方向又は引き出し方向にのみ回転軸を回転させるように形成しても良い。その際、回転の方向は任意に選択できるように構成することもできる。
【発明の効果】
【００１７】
以上のように構成した本発明の長尺物の巻取装置によれば、長尺物を巻き取る際の張力により、緊結状態で巻き取ったとしても、少なくとも何れかの回転部材を取り外すことにより、当該緊結状態を簡易に解除できることから、巻き取った長尺物を取り外しやすくした長尺物の巻取装置が実現する。
【００１８】
よって本発明により、ケーブルなどの長尺物が、張力によって固く巻き取られた場合であっても、容易に巻取装置から取り外すことができるようにした長尺物の巻取装置を提供することができる。
【図面の簡単な説明】
【００１９】
【図１】本実施の形態にかかる長尺物の巻取装置を示す（Ａ）正面図、（Ｂ）左側面図
【図２】本実施の形態にかかる長尺物の巻取装置の（Ａ）斜視図、（Ｂ）分解斜視図
【図３】巻き取った長尺物を取り外すまでの工程図
【発明を実施するための形態】
【００２０】
以下、図面を参照しながら本発明にかかる長尺物の巻取装置10の実施の形態を説明する。ただし、以下に示す実施の形態は、本発明の技術的範囲を制限するものではなく、本発明の基本的な構成を伴う限りにおいて、公知技術や均等な技術を適用することにより適宜変更する事も可能である。
【００２１】
図１は本実施の形態にかかる長尺物の巻取装置10を示す（Ａ）正面図、（Ｂ）左側面図であり、図２は本実施の形態にかかる長尺物の巻取装置10の（Ａ）斜視図、（Ｂ）分解斜視図であり、図３は巻き取った長尺物を取り外すまでの工程図である。
【００２２】
図１及び図２に示すように、本実施の形態にかかる長尺物の巻取装置10は、作業場所や荷台などの設置面に載置可能な脚部21を備えており、当該脚部21から立ち上がる躯体部22を備えている。この躯体部22には、回転軸33を支持する軸受23が設けられており、当該軸受23の近傍には、当該回転軸33の回転方向を規制する為の回転方向規制部材24が設けられている。本実施の形態において、当該軸受23は２つ設けられており、これにより回転軸33を確実に保持することができる。また回転方向規制部材24としてワンウェイクラッチを使用しており、軸受23を貫通した回転軸33を収容する位置に設けている。本実施の形態において、当該軸受23や回転方向規制部材24は、前記躯体部22に設けた架台25に設置している。
【００２３】
そして当該回転軸33には、その軸周りに回動自在に第１の回転部材31を設けている。本実施の形態では、当該回転部材31は前記回転軸33に溶接して設けているが、係合ピンなどを用いて任意に着脱自在に設けることもできる。
【００２４】
また前記回転軸33には、その先端側に軸周りに回動自在な第２の回転部材32を設けている。当該第２の回転部材32は、前記回転軸33に対して着脱自在に設けられており、前記第１の回転部材31と共に、前記回転軸33の回動によって回転されるように設けられている。
【００２５】
そして上記した第１の回転部材31及び第２の回転部材32は、回転軸33を中心として十字形状に配置して回転中心から四方（径方向）に延伸する支持部材31a,32aと、この支持部材31a,32aの先端に一体化した環状部材31b,32bと、前記支持部材31a,32aから延出する巻取アーム（第１の巻取アーム31c及び第２の巻取アーム32c）とを備えて形成している。
【００２６】
前記支持部材31a,32aは、本実施の形態では板状部材を用いて形成しており、その回転軸33（回転中心）近傍には、回転軸方向に延出する巻取アームを、当該回転軸33を中心として対称となる位置に１本ずつ設けている。その結果、本実施の形態では四方に延出する各支持部材31a,32aに１本ずつの合計４つの巻取アーム31c,32cを備えている。
【００２７】
かかる巻取アーム31c,32cは、それぞれの支持部材31a,32aから回転中心に向かって傾斜するように延出しており、前記第１の回転部材31から延出する第１の巻取アーム31cと、前記第２の回転部材32から延出する第２の巻取アーム32cとが相互に交差して、長尺部材の巻取部Cを形成するものとなっている。かかる巻取アーム31c,32cの取付位置は、長尺物を巻き取る際の内径を規定することから、支持部材31a,32aに対する取付位置（即ち回転中心からの距離）を変更できるように形成することもできる。例えば当該巻取部Cを前記支持部材31a,32aに対して螺着する場合には、当該螺着箇所を支持部材31a,32aの長さ方向に複数設けることもでき、またスライダ等によって前記巻取アームの設置個所を変更できるように形成しても良い。
【００２８】
本実施の形態にかかる長尺物の巻取装置10では、前記第１の巻取アーム31cと第２の巻取アーム32cとが回転中心側において交差していることから、少なくとも何れかの回転部材を取り外すことにより、巻き取った長尺物を取り外しやすくしている。このため、前記第１の巻取アーム31cと第２の巻取アーム32cとは、その交角が３０°以上、１７０°以下の角度、望ましくは６０°以上、１５０°以下となるように各回転部材31,32から延出されていることが望ましい。当該交角が３０°未満であると長尺部材の巻取領域が狭くなってしまい、一方で当該交角が１７０°を超えてしまうと、巻取時の張力により長尺物が巻取アームに固く巻き付いてしまい、巻取後における取り外しが困難になってしまうためである。
【００２９】
また前記巻取アームには、長尺部材の巻取時において、その張力や巻き取った長尺物の荷重が作用することから、変形や破損することの無い強度で形成される必要がある。よって、当該巻取アームには、延伸方向の下面を支持する支え部材（図示せず）を設ける事も望ましい。なお、当該支持部材31a,32aは、本実施の形態では十字形状に設けており、回転中心から四方向に延伸するものとして形成しているが、当該支持部材31a,32aは回転中心から２方向以上に延出していれば良く、例えば２方向、３方向の他、５方向以上に延出するように形成することもできる。
【００３０】
そして前記支持部材31a,32aの先端側には、リング状に形成した環状部材31b,32bを設けている。かかる環状部材31b,32bは、長尺部材の巻取に際して、長尺部材を２つの回転部材間に案内する機能を有しており、金属の他、プラスチックなどで形成することもできる。
【００３１】
そして前記回転方向規制部材24は、前記回転軸33の回転方向を規制するために機能する。即ち当該長尺物の巻取装置10における巻き取り動作の最中に、巻き取った長尺物が緩むことの無い様に、引き出し方向への回転を規制している。かかる回転方向規制部材24は、ラチェット機構などによって形成することも可能であるが、本実施の形態ではワンウェイクラッチを使用している。当該ワンウェイクラッチに前記回転軸33を通すことにより、その回転方向を規制することができる。かかる回転方向規制部材24は、本実施の形態では引き出し方向への回動だけを規制するように形成しているが、必要に応じて巻取方向の回動を阻止するように形成しても良い。即ち、当該回転方向規制部材24は、前記回転部材における任意の回転方向を規制するように形成しても良い。
【００３２】
以上のように構成した長尺物の巻取装置10における巻取動作を、図２及び図３を参照しながら説明する。図２（Ａ）は上記の構成で形成された長尺物の巻取装置10を斜視図であり、当該長尺物の巻取装置10は、図２（Ｂ）に示す様に第２の回転部材32を取り外すことができるように組み立てている。即ち、図２に示す様に当該第２の回転部材32は、回転軸33の延伸方向に引き出すことができるように設けられており、長尺部材40の巻取時には、前記回転軸33に対して固定できるように設けられている。
【００３３】
長尺部材40の巻取動作に際しては、図２（Ａ）に示す様に、前記第２の回転部材32を取り付けた状態で長尺部材40の巻取を開始する。これにより長尺部材40は、図３（Ａ）に示す様に、前記第１の巻取アーム31cと第２の巻取アーム32cとで構成される巻取領域Cに順次まかれていく。この巻取動作は、第２の回転部材32の環状部材31b,32bに設けたハンドル34を巻取方向に回すことにより、回転軸33が回動し、当該回転軸33に固定されている第１の回転部材31も回動させることができる。
【００３４】
そして長尺部材40を十分に巻き取った後においては、巻き取った長尺部材40を束ねることも望ましい。特に本実施の形態にかかる長尺物の巻取装置10では、交差する巻取アームで長尺部材40を巻き取っていることから、任意の個所で巻き取った長尺部材40を束ねることが可能となっている。
【００３５】
その後、巻き取った長尺部材40を長尺物の巻取装置10から取り外すために、図２（Ｂ）及び図３（Ｂ）に示す様に、前記第２の回転部材32を回転軸33の延伸方向に引き抜く。この時、当該第２の回転部材32を前記回転軸33に固定する締結ボルト35を緩めることにより、当該第２の回転部材32の引抜を可能としている。かかる第２の回転部材32の引抜に際しては、前記巻き取られた長尺物の締め付け力が作用することになるが、前記第２の巻取アーム32cは回転中心に向かって傾斜していることから、当該締め付け力の影響を受けることなく引き抜くことができる。
【００３６】
以上の様に第２の回転部材32を取り外した後においては、第１の回転部材31における第１の巻取アーム31cに巻き付いている長尺部材40をそのまま引き抜くことができる。この時、当然のことながら巻き取られた長尺部材40には締め付け力が作用しているが、当該第２の巻取アーム32cは、その先端側が回転中心側に傾斜しており、巻き取り領域は縮径していることから、特に労を要することなく巻き取った長尺物を取り外すことができる。
【００３７】
以上の様に、本実施の形態にかかる長尺物の巻取装置10によれば、巻き取った長尺物を簡易に取り外すことができ、繰り返して長尺物を巻き取る作業を行う場合であっても、その作業効率を高めることができる。
【００３８】
なお、巻き取った長尺物を引き出す際には、取り外した状態とは反対側に巻き取った長尺物を第１の巻取アーム31cにセットすれば、前記回転軸33は引き出し方向にのみ回転することが可能となり、引き出し作業を円滑に行うことができる。
【００３９】
また、上記の実施の形態では、それぞれの回転部材を支持部材31a,32aと環状部材31b,32bで形成した態様に基づいて説明したが、此れに変えて円盤などを用いて形成することもできる。ただし当該回転部材における支持部材31a,32aと環状部材31b,32bを円盤形状に形成した場合には、巻き取った長尺物を束ねるための孔乃至は開口を、当該円盤に設ける必要がある。
【００４０】
そして上記の実施の形態にかかる長尺物の巻取装置10は、電線の他、ホースやロープ、或いはシートなどの長尺物を巻き取るために使用することができ、特に巻き取った後において、当該長尺物を長尺物の巻取装置10から取り外して保管や廃棄などすることができるものとなっている。
【産業上の利用可能性】
【００４１】
本発明にかかる長尺物の巻取装置は、電線、ロープ、ホース、或いはシートなどの長尺物を巻き取るために使用することができ、電気設備の他、漁業や農業、或いは製造設備等、様々な分野において利用することができる。
【符号の説明】
【００４２】
10    巻取装置
21    脚部
22    躯体部
23    軸受
24    回転方向規制部材
25    架台
31    第１の回転部材
31a    第１の支持部材
31b    第１の環状部材
31c    第１の巻取アーム
32    第２の回転部材
32a    第２の支持部材
32b    第２の環状部材
32c    第２の巻取アーム
33    回転軸
34    ハンドル
35    締結ボルト
40    長尺部材
C    巻取部（巻取領域）
【図１】
2020075817.tif 000003
【図２】
2020075817.tif 000004
【図３】
2020075817.tif 000005